(57)【要約】【課題】ユーザがＩＤやパスワードを記憶しなくとも、サーバへのアクセスや機能の実行が行える情報処理システム、情報処理方法、及び情報処理プログラムを提供する。【解決手段】コンテンツデータを保持するサーバと前記コンテンツデータを保持する情報端末とを有する情報処理システムであって、ユーザ認証に使用するログイン情報の登録を行うログイン情報登録手段と、前記ログイン情報登録手段によって登録された前記ログイン情報を前記コンテンツデータに組み込むログイン情報組込手段と、前記ログイン情報が組み込まれた前記コンテンツデータの受信を行う受信手段と、前記受信手段によって前記ログイン情報が組み込まれた前記コンテンツデータを受信した場合、前記コンテンツデータから前記ログイン情報を復元するログイン情報復元手段と、前記ログイン情報復元手段によって復元された前記ログイン情報にしたがってユーザ認証を行う認証手段とを有する。【選択図】図３
2015176565.tif 000002
【特許請求の範囲】
【請求項１】
コンテンツデータを保持するサーバと前記コンテンツデータを保持する情報端末とを有する情報処理システムであって、
ユーザ認証に使用するログイン情報の登録を行うログイン情報登録手段と、
前記ログイン情報登録手段によって登録された前記ログイン情報を前記コンテンツデータに組み込むログイン情報組込手段と、
前記ログイン情報が組み込まれた前記コンテンツデータの受信を行う受信手段と、
前記受信手段によって前記ログイン情報が組み込まれた前記コンテンツデータを受信した場合、前記コンテンツデータから前記ログイン情報を復元するログイン情報復元手段と、
前記ログイン情報復元手段によって復元された前記ログイン情報にしたがってユーザ認証を行う認証手段と
を有することを特徴とした情報処理システム。
【請求項２】
請求項１に記載の情報処理システムにおいて、
前記ログイン情報の変換及び分割を行うログイン情報変換手段を有し、
前記ログイン情報組込手段は、前記ログイン情報変換手段によって変換及び分割された前記ログイン情報を一又は複数のコンテンツデータに組み込み、
前記ログイン情報復元手段は、前記ログイン情報の結合及び変換を行い、前記ログイン情報を復元する
ことを特徴とした情報処理システム。
【請求項３】
請求項１又は２に記載の情報処理システムにおいて、
前記情報端末からアップロードされた前記コンテンツデータを記憶する記憶手段を有し、
前記ログイン情報組込手段は、前記記憶手段によって記憶された前記コンテンツデータに前記ログイン情報を組み込む
ことを特徴とした情報処理システム。
【請求項４】
ネットワークを介して通信可能な情報処理方法であって、
ユーザ認証に使用するログイン情報の登録を行うログイン情報登録手順と、
前記ログイン情報登録手順によって登録された前記ログイン情報をコンテンツデータに組み込むログイン情報組込手順と、
前記ログイン情報が組み込まれた前記コンテンツデータの受信を行う受信手順と、
前記受信手順によって前記ログイン情報が組み込まれた前記コンテンツデータを受信した場合、前記コンテンツデータから前記ログイン情報を復元するログイン情報復元手順と、
前記ログイン情報復元手順によって復元された前記ログイン情報にしたがってユーザ認証を行う認証手順と
を有することを特徴とした情報処理方法。
【請求項５】
ネットワークを介して通信可能な情報処理プログラムであって、
コンピュータに、
ユーザ認証に使用するログイン情報の登録するログイン情報登録手順、
前記ログイン情報登録手順によって登録された前記ログイン情報をコンテンツデータに組み込むログイン情報組込手順、
前記ログイン情報が組み込まれた前記コンテンツデータの受信を行う受信手順、
前記受信手順によって前記ログイン情報が組み込まれた前記コンテンツデータを受信した場合、前記コンテンツデータから前記ログイン情報を復元するログイン情報復元手順、
前記ログイン情報復元手順によって復元された前記ログイン情報にしたがってユーザ認証を行う認証手順
を実行させるための情報処理プログラム。
【発明の詳細な説明】
【技術分野】
【０００１】
本発明は、情報処理システムにおける認証技術に関する。
【背景技術】
【０００２】
サーバへのアクセスやユーザが利用できる機能を制限するため、ユーザに対してＩＤやパスワードといった認証情報を要求し、ユーザ認証を行う技術が既に知られている。
【０００３】
例えば、ユーザに対して表示するコンテンツにパスワードを付与し、コンテンツを消去する時にユーザに認証情報の入力を要求する技術が既に知られている（例えば、特許文献１等を参照）。
【発明の概要】
【発明が解決しようとする課題】
【０００４】
ＩＤやパスワードといった認証情報の入力をユーザに要求する従来の技術は、アクセス制限や機能制限を行う上で有効である。しかしながら、従来の技術では、ユーザが認証情報を正確に記憶しておかなければならず、ユーザが認証情報を忘れてしまうとサーバへのアクセスや機能の実行が行えなくなるという問題があった。
【０００５】
本発明は、上記の従来の問題点に鑑み提案されたものであり、その目的とするところは、ユーザがＩＤやパスワードを記憶しなくとも、サーバへのアクセスや機能の実行が行える情報処理システム、情報処理方法、及び情報処理プログラムを提供することにある。
【課題を解決するための手段】
【０００６】
コンテンツデータを保持するサーバと前記コンテンツデータを保持する情報端末とを有する情報処理システムであって、ユーザ認証に使用するログイン情報の登録を行うログイン情報登録手段と、前記ログイン情報登録手段によって登録された前記ログイン情報を前記コンテンツデータに組み込むログイン情報組込手段と、前記ログイン情報が組み込まれた前記コンテンツデータの受信を行う受信手段と、前記受信手段によって前記ログイン情報が組み込まれた前記コンテンツデータを受信した場合、前記コンテンツデータから前記ログイン情報を復元するログイン情報復元手段と、前記ログイン情報復元手段によって復元された前記ログイン情報にしたがってユーザ認証を行う認証手段とを有する。
【発明の効果】
【０００７】
本発明にあっては、ユーザが認証情報を記憶しなくとも、サーバへのアクセスや機能の実行を行うことができる。
【図面の簡単な説明】
【０００８】
【図１】本実施形態における情報処理システムのシステム構成の一例を示す図である。
【図２】本実施形態におけるサーバのハードウエア構成の一例を示す図である。
【図３】本実施形態におけるサーバの機能構成例を示す図である。
【図４】本実施形態におけるユーザデータ記憶部に記憶されるデータ構成の一例を示す図である。
【図５】本実施形態におけるログイン情報の変換の一例を示す図である。
【図６】本実施形態におけるログイン情報を組み込むコンテンツの指定画面の一例を示す図である。
【図７】本実施形態におけるログイン画面の一例を示す図である。
【図８】本実施形態におけるログイン情報の登録からログイン情報が含まれるコンテンツデータの取得までの流れを示すシーケンス図である。
【図９】本実施形態におけるログイン情報が含まれるコンテンツデータを用いたユーザ認証の流れを示すシーケンス図である。
【図１０】本実施形態におけるログイン情報の変更要求からログインコンテンツが変更されるまでの流れを示すシーケンス図である。
【発明を実施するための形態】
【０００９】
次に、添付の図面を参照しながら、本発明の限定的でない例示の実施形態について説明する。
【００１０】
＜システム構成＞
図１は本実施形態における情報処理システム１のシステム構成の一例を示す図である。本実施形態における情報処理システム１はサーバ２、情報端末３を有し、ＬＡＮ（Local Area Network）等のネットワークを介してサーバ２と情報端末３が接続される。
【００１１】
サーバ２はユーザの登録、変更、削除及びユーザ認証を行う。また、サーバ２はユーザＩＤやパスワードから構成されるログイン情報が含まれたコンテンツデータ（以降ログインコンテンツと呼ぶ）を作成し、情報端末３へ送付する。ユーザ認証を完了後、サーバ２は情報端末３に対してサービスを提供する。なお、サーバ２は一以上の装置に各機能を分散させるような構成としてもよい。
【００１２】
情報端末３は、サーバ２に対してユーザＩＤやパスワードから構成されるログイン情報が含まれたコンテンツデータ（以降ログインコンテンツと呼ぶ）をサーバ２へ送付する。情報端末３は、例えばユーザに使用されるＰＣ（Personal Computer）やタブレット、スマートフォン等の情報処理端末である。
【００１３】
＜ハードウエア構成＞
図２は本実施形態におけるサーバ２のハードウエア構成の一例を示す図である。図２のサーバ２は、入力装置２０１、出力装置２０２、ドライブ装置２０３、インタフェース装置２０５、補助記憶装置２０６、メモリ装置２０７、及びＣＰＵ２０８を備え、それぞれがバスＢで接続される。ドライブ装置２０３には記憶媒体２０４が接続されている。
【００１４】
入力装置２０１は各種信号を入力するために用いられ、キーボードやマウス等から構成される。出力装置２０２はディスプレイ装置などで構成され、各種ウィンドウやデータ等を表示するために用いられる。ドライブ装置２０３は記憶媒体２０４からデータを読み出し、あるいは書き込むために用いられる。記憶媒体２０４は、ＣＤ−ＲＯＭ（Compact Disk - Read Only Memory）、光磁気ディスク等や、フラッシュメモリ等の半導体メモリ等、様々なタイプの記憶媒体を用いることができる。インタフェース装置２０５はネットワークに接続するために用いられ、モデム、ＬＡＮカード等から構成される。
【００１５】
補助記憶装置２０６は処理の実行に必要なプログラム、ファイル、データ等を格納するために用いられハードディスクドライブ装置などから構成される。メモリ装置２０７は演算処理を実行するためにプログラムや情報を一時的に格納するために用いられ、半導体メモリ等から構成される。ＣＰＵ２０８はメモリ装置２０７に格納されたプログラムにしたがって各種処理を実行するために用いられる。
【００１６】
プログラムを記録した記憶媒体２０４がドライブ装置２０３にセットされると、記憶媒体２０４からドライブ装置２０３を介して補助記憶装置２０６にプログラムがインストールされる。プログラムのインストールは、記憶媒体２０４より行われることに限定されず、ネットワークを介してプログラムをダウンロードし、インタフェース装置２０５を介して行ってもよい。
【００１７】
メモリ装置はＣＰＵ２０８から起動要求に応じて補助記憶装置２０６からプログラムを読み出してメモリ装置２０７に格納する。そして、ＣＰＵ２０８はメモリ装置２０７に格納されているプログラムにしたがって各種演算処理を実行する。
【００１８】
本実施形態における情報端末３はサーバ２と同様のハードウエア構成を有していればよい。
【００１９】
＜機能構成＞
続いて、情報処理システム１を構成するサーバ２の機能構成について説明する。図３は本実施形態におけるサーバ２の機能構成例を示す図である。図３において、これら各部は、サーバ２にインストールされた一以上のプログラムがＣＰＵ２０８に実行させる処理によって、実現される。
【００２０】
サーバ２は、ユーザデータ管理部２１、ユーザデータ記憶部２２、ログイン情報変換部２３、ログイン情報組込部２４、ログインコンテンツ受付部２５、ログイン情報復元部２６、及びユーザ認証部２７を有する。
【００２１】
ユーザデータ管理部２１はログイン情報を含むユーザデータの登録・更新・削除及びログインコンテンツのユーザへの送信を行う機能である。
【００２２】
ユーザデータ管理部２１は、ユーザのユーザＩＤ及びパスワードを含むログイン情報を登録する。登録されるログイン情報はユーザから入力を受け付ける、もしくはユーザデータ管理部２１が自動的に設定を行ってもよい。その後、ユーザデータ管理部２１は当該ログイン情報をユーザデータとしてユーザデータ記憶部２２に保存する。ログイン情報を保存後、ユーザデータ管理部２１はログイン情報をコンテンツデータへ組み込み可能な形式に変換・分割するよう要求する。ユーザデータ管理部２１はログイン情報の変換・分割を行わない場合、ログイン情報をコンテンツデータへ組み込むようログイン情報組込部２４に要求する。また、ユーザデータ管理部２１はユーザからアップロードされたコンテンツデータを受信し、ユーザデータ記憶部２２に保存する。
【００２３】
ユーザデータ管理部２１は、ログイン情報組込部２４からログイン情報が組み込まれたコンテンツデータを受信し、ログイン情報が組み込まれたコンテンツデータ（ログインコンテンツ）をユーザへ送信する。
【００２４】
ユーザデータ記憶部２２はログイン情報を含むユーザデータを記憶する機能である。ユーザデータはファイル形式もしくはデータベース形式で保存される。ユーザデータ記憶部２２は、補助記憶装置１０２を用いて実現可能である。図４はユーザデータ記憶部２２に保存されるユーザデータの構成例を示す図である。
【００２５】
「ユーザＩＤ」はユーザを識別するために用いる情報である。「ユーザＩＤ」は一意であり、文字、数字、記号、及びそれらを組み合わせによって構成される。ユーザＩＤはユーザによる指定、もしくはサーバ２が自動的に割当ててもよい。
【００２６】
「パスワード」は認証を行う際にユーザＩＤと紐づけて使用される情報である。「パスワード」はユーザによる指定、もしくはサーバ２が自動的に設定してもよい。
【００２７】
「変換データ」は変換されたログイン情報を示す情報である。変換されたログイン情報が分割されている場合、分割された要素ごとに保存される。
【００２８】
「ユーザコンテンツ」はユーザごとに保持しているコンテンツデータを示す情報である。「ユーザコンテンツ」は画像、動画、ファイルなどである。「ユーザコンテンツ」は、ユーザが指示すれば、ログイン情報を組み込むコンテンツデータとして利用することができる。
【００２９】
図３に戻り、ログイン情報変換部２３はユーザデータ管理部２１からのログイン情報の変換・分割を行う機能である。
【００３０】
図５はログイン情報を変換し、二つのデータに分割した例を示す図である。図５に示す例では、ログイン情報変換部２３がログイン情報のユーザＩＤ「Ａｄｍｉｎｉｓｔｒａｔｏｒ」の偶数番目の値の前にパスワードの値「１２３４５６７８９１２３」を入れ込む方法でログイン情報の変換を行っている。変換されたログイン情報「Ａ１ｄ２ｍ３ｉ４ｎ５ｉ６ｓ７ｔ８ｒ９ａ１ｔ２ｏ３ｒ」を、ログイン情報変換部２３は「Ａ１ｄ２ｍ３ｉ４ｎ５ｉ」と「６ｓ７ｔ８ｒ９ａ１ｔ２ｏ３ｒ」との二つの変換データに分割している。ログイン情報を変換・分割する方法は図５に記載した方法に限らず、他の方法を用いて行ってもよい。また、分割する個数は、２つに限らず任意の数を設定してもよい。また、ログイン情報の分割を行わない場合、ユーザデータ管理部２１は、ログイン情報の変換要求を行わず、変換していないログイン情報をコンテンツデータに組み込むようログイン情報組込部２４に要求してもよい。
【００３１】
図３に戻り、ログイン情報の変換・分割後、ログイン情報変換部２３は、変換・分割されたログイン情報の各変換データが他のユーザの変換・分割されたログイン情報の各変換データと重複していないか否かを、ユーザデータ記憶部２２に格納されているユーザデータを参照し、判断する。他のユーザと重複する場合、ログイン情報変換部２３は再度、ログイン情報を変換・分割する。他のユーザと重複がない場合、ログイン情報変換部２３はログイン情報組込部２４へ変換データをコンテンツデータへ組み込むよう要求する。
【００３２】
ログイン情報組込部２４はログイン情報変換部２３によってログイン情報が変換・分割された結果としての要素である変換データをコンテンツデータに組み込む機能である。ログイン情報組込部２４は補助記憶装置２０６に保存されているコンテンツデータへ変換データを組み込み、ログインコンテンツを生成する。ログイン情報組込部２４は生成したログインコンテンツをユーザデータ管理部２１へ送信する。
【００３３】
なお、ログイン情報を組み込むコンテンツデータは、ユーザがユーザデータ記憶部２２に保持するコンテンツデータであってもよい。ユーザがログイン情報を組み込むコンテンツデータを指定する場合、図６に示すように、コンテンツデータの指定は、コンテンツ選択画面Ｇ１にコンテンツデータを一覧表示Ｇ２及びコンテンツデータごとにチェックボックスＧ３を用意しておき、ユーザにログイン情報を組み込むコンテンツデータを選択させることで行ってもよい。
【００３４】
なお、コンテンツデータは画像データに限定せず、アイコン、テキストファイルなどである。また、ログイン情報組込部２４は種類の異なるコンテンツデータを組み合わせて、ログイン情報を埋め込むことができる。
【００３５】
ログインコンテンツ受付部２５はユーザからログインコンテンツの入力を受け付ける機能である。ログイン情報の受け付けは、例えば、図７に示すようなログイン画面Ｇ４をユーザに表示し、ユーザからログイン情報が含まれたコンテンツデータの入力を受け付ける。コンテンツデータの入力は、図７に示すように、ドロップエリアＧ５を用意しておき、ユーザにコンテンツデータをドロップエリアにドラックさせる、又はファイル指定エリアＧ６を用意しておき、コンテンツデータが含まれる格納先を指定させることで行ってもよい。
【００３６】
ログインコンテンツ受付部２５はユーザからログインコンテンツを受け付けた後、ログイン情報復元部２６にログイン情報の復元を要求する。
【００３７】
ログイン情報復元部２６は、ログインコンテンツ受付部２５がユーザから受け付けたコンテンツデータから変換データの抽出及びログイン情報の復元を行う機能である。ログイン情報が複数の変換データに分割されている場合、ログイン情報復元部２６は、変換されたデータを組み合わせ、ログイン情報に変換する。
【００３８】
ユーザ認証部２７はログイン情報の認証を行う機能である。ユーザ認証部２７はログイン情報復元部２６から復元されたログイン情報を受信し、当該ログイン情報をユーザデータ記憶部２２に保存されているログイン情報を参照してユーザの認証を行う。
【００３９】
＜処理動作＞
図８は本実施形態におけるログイン情報の登録からログイン情報が含まれるコンテンツデータの取得までの流れを示すシーケンス図である。
【００４０】
ユーザデータ管理部２１はユーザからログイン情報を含むユーザデータの登録を受けつける（ステップＳ１）。ユーザデータ管理部２１は受け付けたログイン情報をユーザデータ記憶部２２へ登録する（ステップＳ２）。ログイン情報の登録後、ユーザデータ管理部２１はログイン情報変換部２３に対してログイン情報の変換を要求する（ステップＳ３）。ユーザデータ管理部２１からログイン情報の変換要求を受信すると、ログイン情報変換部２３はログイン情報の変換・分割を行う（ステップＳ４）。ログイン情報の変換・分割を実行後、ログイン情報変換部２３はユーザデータ記憶部２２に記憶されている他のユーザの変換データを参照し、重複する変換データがあるか否かを判断する。ログイン情報変換部２３は変換・分割したログイン情報の結果としての変換データをログイン情報組込部２４へ送信し、変換データをコンテンツデータへ組み込む処理の実行を要求する（ステップＳ５）。ログイン情報組込部２４はコンテンツデータにログイン情報変換部２３から受信した変換データを組み込む（ステップＳ６）。変換データを組み込むコンテンツデータは、予め設定しておいてもよい。もしくは、ログイン情報を組み込むコンテンツデータをランダムで決定してもよい。また、ログイン情報組込部２４は前述したように、ユーザが保持するコンテンツデータに変換データを埋め込んでもよい。
【００４１】
ログイン情報組込部２４はログインコンテンツをユーザデータ管理部２１へ送信する（ステップＳ７）。ユーザデータ管理部２１はログイン情報組込部２４から受信したログインコンテンツをユーザへ送信する（ステップＳ８）。
【００４２】
上述した処理を実行することにより、ユーザはログイン情報を変換・分割した結果としての変換データが組み込まれたコンテンツデータを取得することができる。これにより、ユーザはログイン情報を記憶しなくとも、ログインコンテンツを用いてサーバ２へログインすることができる。
【００４３】
図９は本実施形態におけるログイン情報が含まれるコンテンツデータを用いたユーザ認証の流れを示すシーケンス図である。
【００４４】
ログインコンテンツ受付部２５はログインコンテンツと共にユーザからログイン要求を受信する（ステップＳ１１）。ログインコンテンツ受付部２５は受信したログインコンテンツの復元をログイン情報復元部２６へ要求する（ステップＳ１２）。ログイン情報復元部２６はログインコンテンツ受付部２５から受信したログインコンテンツからログイン情報の抽出・復元を行う（ステップＳ１３）。ログイン情報復元部２６は復元したログイン情報をユーザ認証部２７へ送信する（ステップＳ１４）。
【００４５】
ユーザ認証部２７はログイン情報復元部２６から受信したログイン情報をユーザデータ記憶部２２に保存されているユーザデータと照合し、ユーザ認証を実行する（ステップＳ１５）。ユーザ認証はユーザデータ記憶部２２に該当するユーザＩＤとユーザＩＤに関連づけられたパスワードが存在するか否かによって行われる。
【００４６】
ユーザ認証に成功した場合、ユーザ認証部２７はユーザにログインが完了したことを通知する（ステップＳ１６）。
【００４７】
図１０は、本実施形態におけるログイン情報の変更要求からログインコンテンツが変更されるまでの流れを示すシーケンス図である。
【００４８】
ユーザデータ管理部２１はユーザからパスワードの変更要求などログイン情報の変更要求を受信する（ステップＳ２１）。ユーザデータ管理部２１はユーザデータ記憶部２２に保存されている当該ユーザのパスワードを変更する（ステップＳ２２）。パスワード変更後、ユーザデータ管理部２１はログイン情報変換部２３へログイン情報の変換・分割を要求する（ステップＳ２３）。ログイン情報変換部２３はユーザデータ管理部２１からのログイン情報の変換・分割の要求を受信し、ログイン情報の変換・分割を実行する（ステップＳ２５）。ログイン情報を変換・分割した変換データが他のユーザの変換データと重複がないように変換・分割する（ステップＳ２４）。ログイン情報変換部２３は変換・分割したログイン情報をログイン情報組込部２４へ送信し、変換データのコンテンツデータへの組み込みを要求する（ステップＳ２５）。ログイン情報組込部２４は受信した変換データをコンテンツデータへの組み込みを実行する（ステップＳ２６）。変換データを組み込むコンテンツデータはパスワードを変更する前と同じコンテンツデータ、もしくはパスワードを変更する前の変換データを組み込んだコンテンツデータと異なるコンテンツデータを選択してもよい。ログイン情報組込部２４はパスワードの変更を反映させたログインコンテンツをユーザデータ管理部２１へ送信する（ステップＳ２７）。ユーザデータ管理部２１は新しいログインコンテンツをユーザへ送信する（ステップＳ２８）。
【００４９】
なお、上述の実施例の全部又は一部はプログラムによって実装され得る。このプログラムは、可搬記録媒体に格納することができる。可搬記録媒体とは、非一時的（ｎｏｎ−ｔｒａｎｓｉｔｏｒｙ）な記憶媒体を言う。可搬記録媒体の例としては、磁気記録媒体、光ディスク、光磁気記録媒体、不揮発性メモリなどがある。可搬型記録媒体に格納されたプログラムが読み出され、プロセッサーによって実行されることにより、本発明の実施例の全部又は一部が実施され得る。
【００５０】
＜総括＞
以上、本発明の好適な実施の形態にて説明した形態は、本発明の範囲を限定するものではなく、データ伝送、もしくはネットワークを介して接続される情報端末３がログイン情報の変換・分割、コンテンツデータへの組み込みなどのサーバ２で行われる機能の一部を備えてもよい。また、ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００５１】
１    情報処理システム
２    サーバ
２１    ユーザデータ管理部
２２    ユーザデータ記憶部
２３    ログイン情報組換部
２４    ログイン情報組込部
２５    ログインコンテンツ受付部
２６    ログイン情報復元部
２７    ユーザ認証部
２０１  入力装置
２０２  出力装置
２０３  ドライブ装置
２０４  記憶媒体
２０５  インタフェース装置
２０６  補助記憶装置
２０７  メモリ装置
２０８  ＣＰＵ
３      情報端末
【先行技術文献】
【特許文献】
【００５２】
【特許文献１】特開２００９−１４０３１８号公報
【図１】
2015176565.tif 000003
【図２】
2015176565.tif 000004
【図３】
2015176565.tif 000005
【図４】
2015176565.tif 000006
【図５】
2015176565.tif 000007
【図６】
2015176565.tif 000008
【図７】
2015176565.tif 000009
【図８】
2015176565.tif 000010
【図９】
2015176565.tif 000011
【図１０】
2015176565.tif 000012